(57)【要約】  移動可能な中継局の基地局間のハンドオーバ時に、中継局の識別情報の重複を避けると共に、中継局配下の移動局による通信を継続することを目的とする。移動可能な中継局が基地局間を移動して基地局間のハンドオーバをする前に、１つの基地局のサービスエリア内に同じ識別情報を持つ複数の中継局が存在する状態になるか否かを判定し、重複する場合に、互いに異なる識別情報となるよう中継局の識別情報を変更する時に、識別情報が変更される中継局のサービスエリア内で中継局と通信中の移動局について、中継局から基地局へのハンドオーバを行なって基地局による前記移動局へのサービスを継続し、中継局の識別情報が変更された後に、前記サービスエリア内で中継局と通信中だった移動局による基地局から中継局へのハンドオーバを行なって、前記中継局によるサービスを再開することを特徴とする。
2012131819.tif 000002
【特許請求の範囲】
【請求項１】
基地局と移動局とを中継し、移動可能な中継局を有する移動体通信システムであって、
前記移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が１つの基地局に同じ識別情報を持つ複数の中継局が存在する状態になると判定した場合に、互いに異なる識別情報となるよう中継局の識別情報を変更する識別情報変更手段と、
前記中継局の識別情報が変更された後に、前記基地局間を移動する中継局の基地局間のハンドオーバを行なうハンドオーバ手段と、
前記識別情報変更手段により識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続手段と、
を備えることを特徴とする移動体通信システム。
【請求項２】
前記重複判定手段は、基地局および中継局に対応付けて識別情報を登録する識別情報登録手段を有し、
基地局間のハンドオーバをする前記移動可能な中継局の識別情報が、前記識別情報登録手段にあらかじめ登録されている移動先の基地局にある中継局の識別情報と同一である場合に、識別情報が重複すると判定することを特徴とする請求項１に記載の移動体通信システム。
【請求項３】
前記識別情報変更手段は、基地局間のハンドオーバをする前記移動可能な中継局と同一の識別情報を持つ、移動先の基地局にある中継局の識別情報を変更することを特徴とする請求項１または２に記載の移動体通信システム。
【請求項４】
前記サービス継続手段は、前記移動先の基地局にある中継局のサービスエリア内で前記中継局と通信中の移動局を一旦、中継局から基地局にハンドオーバさせ、前記移動先の基地局にある中継局が識別情報を変更した後に、前記移動先の基地局にある中継局のサービスエリア内で前記中継局と通信中だった移動局を再度、基地局から中継局にハンドオーバさせて、前記移動局へのサービスを継続することを特徴とする請求項３に記載の移動体通信システム。
【請求項５】
前記識別情報変更手段は、基地局間のハンドオーバをする前記移動可能な中継局の識別情報を変更することを特徴とする請求項１または２に記載の移動体通信システム。
【請求項６】
前記サービス継続手段は、前記基地局間のハンドオーバをする中継局のサービスエリア内で前記中継局と通信中の移動局を一旦、中継局から移動先の基地局にハンドオーバさせ、前記基地局間のハンドオーバをする中継局が識別情報を変更した後に、前記基地局間のハンドオーバをする中継局のサービスエリア内で前記中継局と通信中だった移動局を再度、基地局から中継局にハンドオーバさせて、前記移動局へのサービスを継続することを特徴とする請求項５に記載の移動体通信システム。
【請求項７】
基地局と移動局とを中継し、移動可能な中継局を有する移動体通信システムにおける中継局制御方法であって、
前記移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて１つの基地局に同じ識別情報を持つ複数の中継局が存在する状態になると判定した場合に、互いに異なる識別情報となるよう中継局の識別情報を変更する識別情報変更ステップと、
前記中継局の識別情報が変更された後に、前記基地局間を移動する中継局の基地局間のハンドオーバを行なうハンドオーバステップと、
前記識別情報変更ステップにおいて識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続ステップと、
を含むことを特徴とする中継局制御方法。
【請求項８】
基地局と移動局とを中継し、移動可能な中継局の識別情報を管理する中継局管理装置であって、
基地局および中継局に対応付けて、識別情報を登録する登録手段と、
移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が同じ識別情報を持つ複数の中継局が存在する状態になると判定した場合に、異なる識別情報となるよう識別情報の変更を中継局に指示する変更指示手段と、
中継局からの識別情報の変更応答を受けて、移動中継局の基地局間のハンドオーバを許可する許可手段と、
を備えることを特徴とする中継局管理装置。
【請求項９】
基地局と移動局とを中継し、移動可能な中継局の識別情報を管理する中継局管理装置の制御方法であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
を含むことを特徴とする中継局管理装置の制御方法。
【請求項１０】
基地局と移動局とを中継し、移動可能な中継局の識別情報を管理する中継局管理装置の制御プログラムが格納された非一時的なコンピュータ可読媒体であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
をコンピュータに実行させるための制御プログラムが格納された非一時的なコンピュータ可読媒体。
【発明の詳細な説明】
【技術分野】
【０００１】
本発明は、移動可能な中継局を有する移動体通信システムにおける、中継局の基地局間のハンドオーバ技術に関する。
【背景技術】
【０００２】
上記技術分野において、特許文献１には、無線中継装置の基地局への接続に対して、重複する識別符号を設定しないようにする技術が開示されている。また、特許文献２には、無線中継局に対して各基地局においてあらかじめ決定された識別情報を割り当てることにより、識別情報が基地局のセル内で重複しないようにする技術が開示されている。
【先行技術文献】
【特許文献】
【０００３】
【特許文献１】特開２００４−０５６５８９
【特許文献２】特開２０１０−０５６８５７
【発明の概要】
【発明が解決しようとする課題】
【０００４】
しかしながら、基地局から基地局への中継局のハンドオーバ時に中継局の識別情報を変更すると、その間、中継局と通信中の移動局に対するサービスが中断してしまうことになる。上記特許文献１及び２は、中継局への識別情報の割り当ての仕組みを示すのみであって、基地局から基地局への中継局のハンドオーバ時の制御については言及がない。特に、１つの基地局のセル内に同じ識別情報を持つ複数の中継局が存在する可能性がある場合の処理について、何ら考慮されていない。【０００５】
本発明の目的は、上述の課題を解決する技術を提供することにある。
【課題を解決するための手段】
【０００６】
上記目的を達成するため、本発明に係るシステムは、
基地局と移動局とを中継し、移動可能な中継局を有する移動体通信システムであって、
前記移動可能な中継局が基地局間を移動して基地局間のハンドオーバをする前に、１つの基地局のサービスエリア内に同じ識別情報を持つ複数の中継局が存在する状態になるか否かを判定する重複判定部と、
前記重複判定部が１つの基地局に同じ識別情報を持つ複数の中継局が存在する状態になると判定した場合に、互いに異なる識別情報となるよう中継局の識別情報を変更する識別情報変更部と、
前記中継局の識別情報が変更された後に、前記基地局間を移動する中継局の基地局間のハンドオーバを行なうハンドオーバ部と、
前記識別情報変更部により識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続部と、
を備えることを特徴とする。【０００７】
上記目的を達成するため、本発明に係る方法は、
基地局と移動局とを中継し、移動可能な中継局を有する移動体通信システムにおける中継局制御方法であって、
前記移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて１つの基地局に同じ識別情報を持つ複数の中継局が存在する状態になると判定した場合に、互いに異なる識別情報となるよう中継局の識別情報を変更する識別情報変更ステップと、
前記中継局の識別情報が変更された後に、前記基地局間を移動する中継局の基地局間のハンドオーバを行なうハンドオーバステップと、
前記識別情報変更ステップにおいて識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続ステップと、  を含むことを特徴とする。【０００８】
上記目的を達成するため、本発明に係る装置は、
基地局と移動局とを中継し、移動可能な中継局の識別情報を管理する中継局管理装置であって、
基地局および中継局に対応付けて、識別情報を登録する登録部と、
移動可能な中継局が基地局間を移動して基地局間のハンドオーバをする前に、１つの基地局のサービスエリア内に同じ識別情報を持つ複数の中継局が存在する状態になるか否かを判定する重複判定部と、
前記重複判定部が同じ識別情報を持つ複数の中継局が存在する状態になると判定した場合に、異なる識別情報となるよう識別情報の変更を中継局に指示する変更指示部と、
中継局からの識別情報の変更応答を受けて、移動中継局の基地局間のハンドオーバを許可する許可部と、
を備えることを特徴とする。【０００９】
上記目的を達成するため、本発明に係る方法は、
基地局と移動局とを中継し、移動可能な中継局の識別情報を管理する中継局管理装置の制御方法であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
を含むことを特徴とする。【００１０】
上記目的を達成するため、本発明に係るプログラムが格納された非一時的なコンピュータ可読媒体は、
基地局と移動局とを中継し、移動可能な中継局の識別情報を管理する中継局管理装置の制御プログラムであって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
をコンピュータに実行させるためのプログラムを格納することを特徴とする。
【発明の効果】
【００１１】
本発明によれば、移動可能な中継局の基地局間のハンドオーバ時に、中継局の識別情報の重複を避けると共に、中継局配下の移動局による通信を継続することができる。
【図面の簡単な説明】
【００１２】
【図１】本発明の第１実施形態に係る移動体通信システムの構成を示すブロック図である。
【図２Ａ】本発明の第２実施形態に係る移動体通信システムの中継局による基地局間のハンドオーバ前の構成を示す図である。
【図２Ｂ】本発明の第２実施形態に係る移動体通信システムの中継局による基地局間のハンドオーバ後の構成を示す図である。
【図３】本発明の第２実施形態に係る移動体通信システムの中継局の接続動作手順を示すシーケンス図である。
【図４】本発明の第２実施形態に係る移動体通信システムの中継局による、識別情報が重複しない場合の基地局間のハンドオーバの動作手順を示すシーケンス図である。
【図５Ａ】本発明の第２実施形態に係る移動体通信システムの中継局による基地局間のハンドオーバ前の構成を示す図である。
【図５Ｂ】本発明の第２実施形態に係る移動体通信システムの中継局による基地局間のハンドオーバ後の構成を示す図である。
【図６】本発明の第２実施形態に係る移動体通信システムの中継局による、識別情報が重複する場合の基地局間のハンドオーバの動作手順を示すシーケンス図である。
【図７】本発明の第２実施形態に係る中継局識別情報管理サーバのハードウェア構成を示すブロック図である。
【図８】本発明の第２実施形態に係る中継局識別情報管理サーバの処理手順を示すフローチャートである。
【図９】本発明の第２実施形態に係る中継局のハードウェア構成を示すブロック図である。
【図１０】本発明の第２実施形態に係る中継局の処理手順を示すフローチャートである。
【図１１】本発明の第３実施形態に係る移動体通信システムの中継局による基地局間のハンドオーバ後の構成を示す図である。
【図１２】本発明の第３実施形態に係る移動体通信システムの中継局による、識別情報が重複する場合の基地局間のハンドオーバの動作手順を示すシーケンス図である。
【図１３】本発明の第４実施形態に係る移動体通信システムの中継局による基地局間のハンドオーバ後の構成を示す図である。
【発明を実施するための形態】
【００１３】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１４】
［第１実施形態］
本発明の第１実施形態としての移動体通信システム１００について、図１を用いて説明する。移動体通信システム１００は、基地局１０１と移動局１０３とを中継し、移動可能な中継局１０２を有するシステムである。
【００１５】
図１に示すように、移動体通信システム１００は、重複判定部１１０と、識別情報変更部１２０と、ハンドオーバ部１３０と、サービス継続部１４０と、を含む。重複判定部１１０は、移動可能な中継局１０２ａが基地局間を移動して基地局間のハンドオーバをする前に、１つの基地局のサービスエリア内に同じ識別情報を持つ複数の中継局が存在する状態になるか否かを判定する。識別情報変更部１２０は、重複判定部１１０が１つの基地局に同じ識別情報を持つ複数の中継局が存在する状態になると判定した場合に、互いに異なる識別情報となるよう中継局１０２の識別情報を変更する。ハンドオーバ部１３０は、中継局の識別情報が変更された後に、基地局間を移動する中継局の基地局間のハンドオーバを行なう。サービス継続部１４０は、識別情報変更部１２０により識別情報が変更される中継局のサービスエリア内で中継局と通信中の移動局１０３について、中継局から基地局へのハンドオーバを行なって基地局による移動局へのサービスを継続する。そして、中継局の識別情報が変更された後に、サービスエリア内で中継局と通信中だった移動局による基地局から中継局へのハンドオーバを行なって、中継局によるサービスを再開する
【００１６】
本実施形態によれば、移動可能な中継局の基地局間のハンドオーバ時に、中継局の識別情報の重複を避けると共に、中継局配下の移動局による通信を継続することができる。
【００１７】
［第２実施形態］
次に本発明の第２実施形態に係る移動体通信システムについて、説明する。本実施形態においては、移動可能な中継局が基地局間を移動してハンドオーバをする場合の、中継局の識別情報の管理方法およびハンドオーバ処理方法を説明する。特に、ハンドオーバによって同じ識別情報を有する複数の中継局が１つの基地局のサービスエリア内に存在しないようにする、中継局の識別情報の管理方法およびハンドオーバ処理方法を説明する。なお、本実施形態におけるハンドオーバは、ソフトハンドオーバであるのが望ましい。本実施形態によれば、移動可能な中継局の基地局間のハンドオーバ時に、中継局の識別情報の重複を避けために一方の識別情報を変更する場合に、中継局配下の移動局による通信を継続することが可能である。
【００１８】
《移動体通信システムの基礎技術》
まず、本実施形態の移動体通信システムに関連する現在の技術レベルについて、概略を説明する。
【００１９】
LTE-Advanced(Long Term Evolution−Advanced)では、基地局(eNB:enhanced Node B)の収容エリア拡大や、不感地帯の解消などを目的として、無線による中継機能を持つ中継局(RN : Relay Node)、特にLayer 3情報の中継を行うType1中継局が規定されている(3GPP TR36.814 (v9.0.0)、および、3GPP TS 36.216 (v10.1.0)参照)。Type1中継局は、基地局と同様にセル(Cell)IDを持ち、移動局(UE:User Equipment)に対しては、基地局と同等の信号の送受信を行い、さらに接続する基地局(Donor eNB)に対しては、基地局の送受信周波数帯域をそのまま使用して、基地局とType1中継局間の通信を行う。ここで、Type1中継局から移動局への信号の周波数帯域と、基地局からType1中継局への信号の周波数帯域は等しく、移動局からType1中継局への信号の周波数帯域と、Type1中継局から基地局への信号の周波数帯域は等しい。Type1中継局の稼動するシステムでは、原則的に同一周波数帯域の信号は時分割で扱われる。時分割制御(スケジューリング)は基地局で行う。なお、Type1中継局のバリエーションとして、中継局から移動局への信号と基地局から中継局への信号、あるいは、移動局から中継局への信号と中継局から基地局への信号で異なる周波数帯域を用いるType1a中継局、同一周波数帯域を用いるものの、空間的なアイソレーションを保証することにより時分割で扱う必要のないType1b中継局が規定されている。
【００２０】
本実施形態は、Type1a中継局およびType1b中継局へも適用可能である。以下では特に区別せず"Type1中継局"、あるいは"中継局"とだけ記載する。3GPP RAN会合(RAN1#60、2010年2月)では、LTE-Advanced実用当初(Release 10)はType1中継局として、固定中継局(Stationary Relay Node)のみを考慮することが合意された。固定中継局とは、その名の通り、原則として設置後は移動することのない中継局のことを指す。一方、将来的にはバスや電車などに設置することで、車内の移動局を収容するような移動中継局(Mobile Relay Node)の導入が必須であり、必然的に固定中継局と移動中継局とが同一セル内に混在する、すなわち、同一基地局に接続されることが起こり得る。なお、固定中継局は従来(Release 10当時)のものかもしれないし、移動中継局導入時よりも後に作られたものかもしれない。移動中継局は固定中継局と比較して、移動することによって接続する基地局が切り替わる場合など、移動に応じた機能や制御が追加され、回路規模が増大、複雑化するため、移動中継局導入後も、用途を固定中継局に限定することで、回路規模の増大、複雑化を抑えた中継局の作られる可能性もある。
【００２１】
また、中継局への識別情報の割り当てにおいては、可能であれば、システム内の全移動中継局で重複しないように割り当てることもあり得る。しかしながら、システム内の全移動中継局で重複しないように割り当てると用意すべき移動中継局識別情報の数が膨大になる。一方で、十分に距離の離れた移動中継局であれば、同じ移動中継局識別情報を割り当てても、移動局のセルサーチなどへの影響がない。したがって、近隣において移動中継局識別情報が重複しないように割り当てるのが現実的である。
【００２２】
《識別情報が重複しない場合の移動体通信システムの構成》
本実施形態に係る移動体通信システムの構成を説明する。ＬＴＥ移動体通信システムにおける、移動中継局の基地局間ハンドオーバ例を図２Ａおよび図２Ｂに示す。図２Ｂは、図２Ａからある時間が経過し、移動中継局２０２−１が、１つの基地局２０１−１によるサービスエリア（セル）２０１−１ａから移動先の他の基地局２０１−２によるサービスエリア（セル）２０１−２ａへ移動した状態を示している。まず、最初に、移動中継局２０２−１の基地局間のハンドオーバによっても、識別情報が重複しない場合を説明する。
【００２３】
（中継局による基地局間のハンドオーバ前の構成）
図２Ａは、本実施形態に係る移動体通信システムの中継局による基地局間のハンドオーバ前の構成を示す図である。
【００２４】
図２Ａには、基地局２０１−１，２０１−２、移動中継局２０２−１，２０２−２、移動局２０３−１〜２０３−５、基地局制御装置２０４、基地局識別情報管理サーバ２０５、中継局識別情報管理サーバ２０６が示されている。また、基地局２０１−１によるサービスエリア（セル）２０１−１ａ、基地局２０１−２によるサービスエリア（セル）２０１−２ａ、移動中継局２０２−１によるサービスエリア（セル）２０２−１ａ、移動中継局２０２−２によるサービスエリア（セル）２０２−２ａ、コアネットワーク２０７が示されている。そして、移動中継局２０２−１，２０１−２には、それぞれの中継局が割り当てられた識別情報が示されている。しなわち、移動中継局２０２−１の識別情報は"３１"であり、移動中継局２０２−２の識別情報は"３２"である。したがって、図２Ａでは、例え移動中継局２０２−１，２０２−２が他の基地局へ基地局間のハンドオーバをしたとしても、移動中継局の識別情報は重複することがない。
【００２５】
ここで、基地局２０１−１はサービスエリア（セル）２０１−１ａを形成し、セル内の移動局２０３−３および移動中継局２０２−１と無線伝搬路を介して通信を行っている。また、基地局２０１−１は、コアネットワーク２０７を介して基地局制御装置２０４および基地局識別情報管理サーバ２０５との通信も行っている。コアネットワーク２０７を介した通信の伝搬路は有線／無線を問わない。同様に、基地局２０１−２はサービスエリア（セル）２０１−２ａを形成し、セル内の移動局２０３−４，２０３−５および移動中継局２０２−２と無線伝搬路を介して通信を行っている。また、基地局２０１−２は、コアネットワーク２０７を介して基地局制御装置２０４および基地局識別情報管理サーバ２０５との通信も行っている。コアネットワーク２０７を介した通信の伝搬路は有線／無線を問わない。基地局制御装置２０４は、基地局、（基地局経由で）固定中継局、（基地局経由で）移動中継局を制御する。なお、基地局によって基地局制御装置が異なる場合、すなわち、基地局制御装置が複数存在する場合もある。基地局識別情報管理サーバ２０５は、基地局識別情報を管理する。
【００２６】
中継局制御部である中継局識別情報管理サーバ２０６は、コアネットワーク２０７および各基地局を介して移動中継局２０２−１，２０２−２に接続されている。中継局識別情報管理サーバ２０６は、移動中継局および固定中継局の中継局識別情報を管理する。一方、移動中継局２０２−１は、サービスエリア（セル）２０２−１ａを形成し、セル内の移動局２０３−１と通信を行う。同時に、移動中継局２０２−１は、移動局２０３−１からの受信信号のLayer 3情報を基地局２０１−１へ送信する。また、基地局２０１−１からの信号を受信し、移動局２０３−１向けのLayer 3情報を取り出してLayer 1情報へと変換し、制御情報などを付加して、移動局２０３−１へ送信している。これらすべての通信は無線伝搬路を介して行われる。同様に、移動中継局２０２−２は、サービスエリア（セル）２０２−２ａを形成し、セル内の移動局２０３−２と通信を行う。同時に、移動中継局２０２−２は、移動局２０３−２からの受信信号のLayer 3情報を基地局２０１−２へ送信する。また、基地局２０１−２からの信号を受信し、移動局２０３−２向けのLayer 3情報を取り出してLayer 1情報へと変換し、制御情報などを付加して、移動局２０３−２へ送信している。これらすべての通信は無線伝搬路を介して行われる。このような例において、移動中継局専用に、あらかじめ定められた個数の移動中継局識別情報を用意し、中継局識別情報管理サーバ２０６で管理する。
【００２７】
（中継局による基地局間のハンドオーバ後の構成）
図２Ｂは、本実施形態に係る移動体通信システムの中継局による基地局間のハンドオーバ後の構成を示す図である。
【００２８】
図２Ｂは、図２Ａからある時間が経過し、移動中継局２０２−１が基地局２０１−１によるサービスエリア（セル）２０１−１ａから基地局２０１−２によるサービスエリア（セル）２０１−２ａへ移動した状態を示している。それに伴い、移動中継局２０２−１の接続する基地局は、基地局２０１−１から基地局２０１−２へ変更される、すなわち、基地局間ハンドオーバが行われる。図２Ｂでは、移動中継局識別情報の重複は起こらない。そのため、基地局間ハンドオーバ前の移動中継局２０２−１の移動中継局識別情報を、基地局間ハンドオーバ元の基地局２０１−１から基地局制御装置２０４経由で、基地局間ハンドオーバ先の基地局２０１−２へ通知する。それによって、移動中継局２０２−１配下の移動局２０３−１は通信を継続したまま、移動中継局２０２−１の基地局間ハンドオーバが可能である。かかるハンドオーバの識別情報の通知においては、基地局２０１−１→基地局識別情報管理サーバ２０５→基地局２０１−２というルートも可能である。また、中継局識別情報管理サーバ２０６→基地局識別情報管理サーバ２０５→基地局２０１−２というルートも可能であり、限定されるものではない。
【００２９】
図２Ｂにおける、移動中継局２０２−１の基地局間ハンドオーバにおけるメッセージ送受信手順例については、図４にしたがって詳しくは後述する。
【００３０】
《識別情報が重複しない場合の移動体通信システムの中継局の動作手順》
本実施形態に係る移動体通信システムの識別情報が重複しない場合の動作手順を説明する。
【００３１】
（中継局の接続動作手順）
図３は、本実施形態に係る移動体通信システムの中継局の接続動作手順３００を示すシーケンス図である。図３には、中継局識別情報管理サーバ２０６、基地局２０１−１、移動中継局２０２−１が示されている。ここで、移動中継局専用の移動中継局セルＩＤを"３１"，"３２"，"３３"とする。なお、移動中継局２０２−２やその他の中継局の接続動作も同様であるので、説明は省略する。
【００３２】
新規接続時、ステップＳ３０１において、移動中継局２０２−１は接続を希望する基地局２０１−１に対して、「移動中継局接続要求」を送信する。なお、それ以前に、移動中継局２０２−１は移動局相当として基地局２０１−１との接続を確立する必要があるが、以降の手順を含め、それらの手順は省略する（詳細は3GPP TS 36.300 (v10.2.0)参照）。「移動中継局接続要求」を受信した基地局２０１−１は、ステップＳ３０３において、「移動中継局接続応答」を移動中継局２０２−１に送信し、移動中継局としての接続を確立する。その後、ステップＳ３０５において、移動中継局２０２−１は基地局２０１−１経由で、中継局識別情報管理サーバ２０６に対して「移動中継局セルＩＤ要求」を送信する。「移動中継局セルＩＤ要求」を受信した中継局識別情報管理サーバ２０６は、ステップＳ３０９において、少なくとも近隣の移動中継局の移動中継局セルＩＤと重複しない移動中継局セルＩＤ（ここでは"３１"）を「移動中継局セルＩＤ応答」として、基地局２０１−１経由で移動中継局２０２−１に送信する。「移動中継局セルＩＤ応答」を受信した移動中継局２０２−１は、ステップＳ３１１において移動中継局としての設定を行うと同時に、ステップＳ３１３において基地局２０１−１に対して「移動中継局セルＩＤ」を通知する。以降は、ステップＳ３１５のように、移動中継局２０２−１は基地局２０１−１のサービスエリア（セル）２０１−１内の移動中継局として動作する。
【００３３】
（基地局間のハンドオーバの動作手順）
図４は、本実施形態に係る移動体通信システムの中継局による、識別情報が重複しない場合の基地局間のハンドオーバの動作手順４００を示すシーケンス図である。図４には、中継局識別情報管理サーバ２２０６、基地局２０１−１，２０１−２、移動中継局２０２−１が示されている。ここで、移動中継局専用の移動中継局セルＩＤを"３１"，"３２"，"３３"とする。また、移動中継局２０２−１は、基地局２０１−１に接続中であり、移動中継局セルＩＤは"３１"とする。
【００３４】
基地局間ハンドオーバ時、移動中継局２０２−１は、ステップＳ４０１において、接続している基地局２０１−１に対して、希望する基地局間ハンドオーバ先（ここでは基地局２０１−２）を含む「移動中継局ハンドオーバ要求」を送信する。「移動中継局ハンドオーバ要求」を受信した基地局２０１−１は、ステップＳ４０３において、「移動中継局ハンドオーバ応答」を移動中継局２０２−１に送信する。基地局２０１−１は、基地局間ハンドオーバの準備に入る。なお、基地局２０１−１の基地局間ハンドオーバの準備には、移動中継局２０２−１の情報を基地局２０１−２に引き継ぐためのメッセージのやり取りなどがある。
【００３５】
その後、移動中継局２０２−１は、ステップＳ４０５において、基地局２０１−１経由で、中継局識別情報管理サーバ２０６に対して「移動中継局ハンドオーバ要求」を送信する。「移動中継局ハンドオーバ要求」を受信した中継局識別情報管理サーバ２０６は、ステップＳ４０７において、移動中継局２０２−１の移動中継局セルＩＤ（ここでは"３１"）が、少なくとも近隣の移動中継局の移動中継局セルＩＤと重複しているかどうかの判定を行う。
【００３６】
本例では重複していないので、ステップＳ４０９において、「移動中継局ハンドオーバ応答」として、基地局２０１−１経由で移動中継局２０２−１に送信する。「移動中継局ハンドオーバ応答」を受信した移動中継局２０２−１は、ステップＳ４１１において、移動中継局セルＩＤを維持したまま、基地局２０１−１から基地局２０１−２への基地局間ハンドオーバを行う。以降、移動中継局２０２−１は、基地局２０１−２に接続し、移動中継局セルＩＤは"３１"のまま維持される。
【００３７】
《識別情報が重複する場合の移動体通信システムの構成》
次に、基地局間のハンドオーバによって、識別情報が重複する場合を説明する。例えば、移動中継局１０２−１が近隣の範囲を越えて移動した場合には、移動中継局識別情報の重複する可能性がある。特に、電車、長距離バスなどに積んだ移動中継局において発生する可能性がある。そのため、中継局識別情報管理サーバ２０６において、移動中継局識別情報重複を解消するための制御を行う。具体的には、近隣における移動中継局識別情報の重複が発生する基地局間ハンドオーバ前に、（重複の発生の予想される）どちらか一方の移動中継局の移動中継局識別情報を変更する。その際、移動中継局識別情報を変更する移動中継局は、配下の全移動局を移動中継局の接続している基地局へ一時的にセル間ハンドオーバさせる制御を行う。移動中継局識別情報を変更する移動中継局、あるいはセル間ハンドオーバ先の基地局は、移動中継局識別情報変更後、一時的にセル間ハンドオーバをしていた移動局を移動中継局に再収容させる制御を行う。
【００３８】
ここで、移動中継局識別情報を変更するために、どちらの移動中継局を選ぶかの判断基準や選択方法に制限はない。判断基準の例としては、一時的なセル間ハンドオーバ先の受信品質のよい方、移動中継局の移動速度の遅い方、配下の移動局数の少ない方、接続している基地局との合計通信データ量の少ない方などが挙げられる。一般的には、これから基地局間ハンドオーバをしようとしている移動中継局ではなく、もう一方の移動中継局識別情報を変更することが多いと考えられる。図５Ａおよび図５Ｂは、これから基地局間ハンドオーバをしようとしている移動中継局ではなく、もう一方の移動中継局識別情報を変更する場合である。
【００３９】
（中継局による基地局間のハンドオーバ前の構成）
図５Ａは、本実施形態に係る移動体通信システムの中継局による基地局間のハンドオーバ前の構成を示す図である。図５Ａにおいて、図２Ａとの相違は、移動中継局２０２−２の移動中継局セルＩＤが"３１"であり、今から基地局間のハンドオーバを行なおうとしている移動中継局２０２−１の移動中継局セルＩＤ"３１"と重複する状況であることである。他の構成は、図２Ａと同様であるので、同じ参照番号を付し説明は省略する。
【００４０】
（中継局による基地局間のハンドオーバ後の構成）
図５Ｂは、本実施形態に係る移動体通信システムの中継局による基地局間のハンドオーバ後の構成を示す図である。
【００４１】
図５Ｂにおいて、移動中継局２０２−１が基地局間のハンドオーバを行なう前に、移動中継局識別情報の重複を避けるために、移動中継局２０２−２の移動中継局セルＩＤを"３１"から"３２"に変更する。しかしながら、移動中継局２０２−２の移動中継局セルＩＤを変更すると、その間、配下の移動局２０３−２は通信が中断してしまう。したがって、図５Ｂに５０１で示すように、移動局２０３−２をセル間ハンドオーバにより一旦、基地局２０１−２と直接通信するようにする。その後、移動中継局２０２−１の移動中継局セルＩＤを"３２"に変更して、変更を基地局２０１−２および中継局識別情報管理サーバ２０６に通知する。そして、配下の移動局２０３−２を再度、基地局２０１−２からセル間ハンドオーバさせて、自分の配下に置く。この間、移動局２０３−２は中断なしに通信を継続することができる。
【００４２】
基地局間のハンドオーバ時には、基地局間ハンドオーバ前の移動中継局２０２−１の移動中継局識別情報を、基地局間ハンドオーバ元の基地局２０１−１から基地局制御装置２０４経由で、基地局間ハンドオーバ先の基地局２０１−２へ通知する。また、基地局２０１−１→基地局識別情報管理サーバ２０５→基地局２０１−２というルートも可能であり、また、中継局識別情報管理サーバ２０６→基地局識別情報管理サーバ２０５→基地局２０１−２というルートも可能であり、限定されない。
【００４３】
なお、他の図５Ｂの構成は図２Ｂと同様であり、同じ参照番号を付し説明は省略する。また、本例のメッセージ送受信手順は、図７に従い詳しく後述する。また、移動中継局識別情報の数に制限はない。
【００４４】
本実施形態によれば、移動中継局の基地局間ハンドオーバ時に、基地局間ハンドオーバを行う移動中継局の移動中継局識別情報が、少なくとも近隣の移動中継局の移動中継局識別情報と重複している場合、重複を解消してから、基地局間ハンドオーバを行うことが可能になる。そのため、基地局間ハンドオーバを行う移動中継局の移動中継局識別情報を維持したまま、基地局間ハンドオーバを行うことが可能になる。
【００４５】
《識別情報が重複する場合の移動体通信システムの動作手順》
図６は、本実施形態に係る移動体通信システムの中継局による、識別情報が重複する場合の基地局間のハンドオーバの動作手順６００を示すシーケンス図である。図６には、中継局識別情報管理サーバ２０６、基地局２０１−１，２０１−２、移動中継局２０２−１，２０２−２、移動局２０３−２が示されている。ここで、移動中継局専用の移動中継局セルＩＤを"３１"，"３２"，"３３"とする。また、移動中継局２０２−１は、基地局２０１−１に接続中であり、移動中継局セルＩＤは"３１"とする。一方、移動中継局２０２−２は、基地局２０１−２に接続中であり、移動中継局セルＩＤは"３１"とする。移動局２０３−２は、移動中継局２０２−２に接続中とする。なお、図４と同様のステップについては同じ参照番号を付している。
【００４６】
基地局間ハンドオーバ時、移動中継局２０２−１は、ステップＳ４０１において、接続している基地局２０１−１に対して、希望する基地局間ハンドオーバ先（ここでは基地局２０１−２）を含む「移動中継局ハンドオーバ要求」を送信する。「移動中継局ハンドオーバ要求」を受信した基地局２０１−１は、ステップＳ４０３において、「移動中継局ハンドオーバ応答」を移動中継局２０２−１に送信する。基地局２０１−１は、基地局間ハンドオーバの準備に入る。
【００４７】
その後、移動中継局２０２−１は、ステップＳ４０５において、基地局２０１−１経由で、中継局識別情報管理サーバ２０６に対して「移動中継局ハンドオーバ要求」を送信する。「移動中継局ハンドオーバ要求」を受信した中継局識別情報管理サーバ２０６は、ステップＳ４０７において、移動中継局２０２−１の移動中継局セルＩＤ（ここでは３１）が、少なくとも近隣の移動中継局の移動中継局セルＩＤと重複しているかどうかの判定を行う。
【００４８】
本例では重複しているので、ステップＳ６０９において、重複している移動中継局の一方（ここでは移動中継局２０２−２）に対して「移動中継局セルＩＤ変更要求」を送信する。ここで、中継局識別情報管理サーバ２０６は、変更後の移動中継局セルＩＤとして、少なくとも近隣の移動中継局の移動中継局セルＩＤと重複しない移動中継局セルＩＤ（ここでは"３２"）を「移動中継局セルＩＤ変更要求」として送信する。「移動中継局セルＩＤ変更要求」を受信した移動中継局２０２−２は、ステップＳ６１１において、移動局２０３−２を含む配下の全移動局に対して、移動中継局２０２−２の接続している基地局（ここでは基地局２０１−２）へのセル間ハンドオーバを指示する「ハンドオーバ要求」を送信する。「ハンドオーバ要求」を受信した移動局２０３−２を含む移動中継局２０２−２配下の全移動局は、ステップＳ６１３において、基地局２０１−２とのセル間ハンドオーバ行う。
【００４９】
その際、移動局２０３−２を含む移動中継局２０２−２配下の全移動局が、移動中継局２０２−２から基地局２０１−２へのセル間ハンドオーバを確実に行うために、移動中継局２０２−２の各共通信号の送信電力を制御する。具体的には、セル間ハンドオーバ時の各共通信号の送信電力を、それまでより小さくする方法が挙げられる。
【００５０】
配下の移動局のなくなった移動中継局２０２−２は、ステップ６１５において、移動中継局セルＩＤの変更（ここでは"３１"から"３２"へ）を行う。ステップＳ６１７において、基地局２０１−２に対して新たな移動中継局セルＩＤ（ここでは"３２"）を「移動中継局セルＩＤ」として通知する。また、移動中継局２０２−２は、ステップＳ６１９において、セルＩＤ変更に成功したことを「移動中継局セルＩＤ変更応答」として、中継局識別情報管理サーバ２０６へ送信する。「移動中継局セルＩＤ変更応答」を受信した中継局識別情報管理サーバ２０６は、セルＩＤの重複が解消されたことを認識し、管理している移動中継局識別情報を更新する。同時に、ステップＳ６２１において、「移動中継局ハンドオーバ要求」を送信してきていた移動中継局２０２−１に対して、基地局２０１−１経由で、基地局間ハンドオーバを許可する「移動中継局ハンドオーバ応答」を送信する。
【００５１】
「移動中継局ハンドオーバ応答」を受信した移動中継局２０２−１は、ステップＳ６２３において、移動中継局セルＩＤを維持したまま、基地局２０１−１から基地局２０１−２への基地局間ハンドオーバを行う。以降、移動中継局２０２−１は、基地局２０１−２に接続し、移動中継局セルＩＤは３１のまま維持される。
【００５２】
一方、基地局２０１−２は、移動中継局２０２−２の新たな移動中継局セルＩＤ（ここでは"３２"）を「移動中継局セルＩＤ」として受信した後、ステップＳ６２５において、移動中継局２０２−２の移動中継局セルＩＤ変更前に移動中継局２０２−２の配下であった移動局２０３−２を含む全移動局に対して、移動中継局２０２−２へのセル間ハンドオーバを指示する「ハンドオーバ要求」を送信する。「ハンドオーバ要求」を受信した、移動中継局２０２−２の移動中継局セルＩＤ変更前に移動中継局２０２−２の配下であった移動局２０３−２を含む全移動局は、ステップＳ６２７において、基地局２０１−２から移動中継局２０２−２へのセル間ハンドオーバを行なって、サービス再開をする。
【００５３】
その際、移動中継局２０２−２の移動中継局セルＩＤ変更前に移動中継局２０２−２の配下であった移動局２０３−２を含む全移動局が、基地局２０１−２から移動中継局２０２−２へのセル間ハンドオーバを確実に行うために、移動中継局２０２−２の各共通信号の送信電力を制御する。具体的には、移動中継局セルＩＤ変更前のセル間ハンドオーバ前の各共通信号の送信電力を、移動中継局２０２−２で記憶しておき、その送信電力と同じ、またはそれより若干大きな送信電力で、各共通信号を送信する。
【００５４】
なお、移動中継局２０２−１の基地局間ハンドオーバと、移動中継局２０２−２の移動中継局セルＩＤ変更前に移動中継局２０２−２の配下であった移動局２０３−２を含む全移動局の、基地局２０１−２から移動中継局２０２−２へのセル間ハンドオーバは、どちらが先でも問題ない。本実施形態において、移動中継局識別情報に、特に制限はない。たとえば、セルＩＤ、送受信のタイミングに関する情報、伝搬路品質に関する情報、収容トラフィック量に関する情報、移動中継局の移動速度などが挙げられる。
【００５５】
《中継局識別情報管理サーバのハードウェア構成》
図７は、本実施形態に係る中継局識別情報管理サーバ２０６のハードウェア構成を示すブロック図である。なお、図７には、本実施形態に関連する構成のみが示されている。
【００５６】
図７で、ＣＰＵ７１０は演算制御用のプロセッサであり、プログラムを実行することで図２の各機能構成部を実現する。ＲＯＭ７２０は、初期データおよびプログラムなどの固定データおよびプログラムを記憶する。通信制御部７３０は、ネットワークおよび基地局を介して中継局と通信するための制御部である。通信は無線であっても有線であってもよい。
【００５７】
ＲＡＭ７４０は、ＣＰＵ７１０が一時記憶のワークエリアとして使用するランダムアクセスメモリである。ＲＡＭ７４０には、本実施形態の実現に必要なデータを記憶する領域が確保されている。７４１は、中継局から受信するセルＩＤや中継局ＩＤを含むハンドオーバ要求データである。７４２は、ハンドオーバ要求データ７４１に従う基地局間ハンドオーバによりセルＩＤが重複するか否かを示すセルＩＤ重複フラグである。７４３は、他の制御パラメータである。
【００５８】
ストレージ７５０は、データベースや各種のパラメータ、あるいは本実施形態の実現に必要な以下のデータまたはプログラムが記憶されている。７５１は、基地局ＩＤ７５２と中継局ＩＤ７５３とに対応付けて、割り当てられたセルＩＤ７５４が登録された識別情報登録部であるセルＩＤ登録テーブルである。図７には、図５Ａの状況におけるセルＩＤ登録テーブル７５１が図示されている。ストレージ７５０には、以下のプログラムが格納される。７５５は、本中継局識別情報管理サーバ２０６が中継局を管理するための中継局管理プログラムである。７５６は、中継局管理プログラム７５５に含まれ、セルＩＤの重複を判定するセルＩＤ重複判定モジュールである（図８参照）。７５７は、中継局管理プログラム７５５に含まれ、中継局のセルＩＤを変更するセルＩＤ変更モジュールである（図８参照）。
なお、図７には、本実施形態に必須なデータやプログラムのみが示されており、ＯＳなどの汎用のデータやプログラムは図示されていない。
【００５９】
《中継局識別情報管理サーバの処理手順》
図８は、本実施形態に係る中継局識別情報管理サーバ２０６の処理手順を示すフローチャートである。このフローチャートは、ＣＰＵ７１０がＲＡＭ７４０を使用しながら実行されて、中継局識別情報管理サーバ２０６の機能構成部や図３，図４および図６の処理が実現される。
【００６０】
まず、ステップＳ８１１においては、中継局からの初期セルＩＤの要求か否かが判定される。セルＩＤの要求であればステップＳ８１３に進んで、要求した中継局に割り当てるセルＩＤを決定して応答する。
【００６１】
次に、ステップＳ８２１においては、中継局からの基地局間ハンドオーバの要求か否かを判定する。基地局間ハンドオーバの要求であればステップＳ８２３に進んで、基地局間ハンドオーバ後に中継局のセルＩＤが重複しないかを判断する。重複しないと判断した場合には、ステップＳ８２５からＳ８２９に進んで、ハンドオーバ要求をした中継局に許可の応答を返す。重複すると判断した場合は、ステップＳ８２５からＳ８２７に進んで、重複するセルＩＤを有する中継局の一方にセルＩＤの変更を要求する。
【００６２】
次に、ステップＳ８３１においては、セルＩＤの変更を要求した中継局からのセルＩＤ変更完了の応答か否かを判定する。セルＩＤ変更完了の応答であればステップＳ８３３に進んで、セルＩＤ変更を、ハンドオーバ要求をした中継局に応答する。
【００６３】
《中継局のハードウェア構成》
図９は、本実施形態に係る中継局２０２のハードウェア構成を示すブロック図である。なお、図９には、本実施形態に関連する構成のみが示されている。
【００６４】
図９で、ＣＰＵ９１０は演算制御用のプロセッサであり、プログラムを実行することで図２の各機能構成部を実現する。ＲＯＭ９２０は、初期データおよびプログラムなどの固定データおよびプログラムを記憶する。通信制御部９３０は、基地局および移動局と通信するための制御部である。中継局と、基地局及び移動局との間の通信は無線である。
【００６５】
ＲＡＭ９４０は、ＣＰＵ９１０が一時記憶のワークエリアとして使用するランダムアクセスメモリである。ＲＡＭ９４０には、本実施形態の実現に必要なデータを記憶する領域が確保されている。９４１は、基地局および移動局と送受信する送受信データである。９４２は、受信データの内、中継局識別情報管理サーバ２０６からのセルＩＤ変更要求の受信データである。９４３は、基地局および中継局識別情報管理サーバ２０６に送信するハンドオーバ要求の送信データである。９４４は、現在の中継局セルＩＤである。９４５は、現在接続している（配下にある）基地局の基地局ＩＤである。９４６は、現在通信中の移動局の移動局ＩＤである。９４７は、他の制御パラメータである。
【００６６】
ストレージ９５０は、データベースや各種のパラメータ、あるいは本実施形態の実現に必要な以下のデータまたはプログラムが記憶されている。９５１は、本中継局のサービスエリア（配下）にある移動局ＩＤである。９５２は、本中継局が管理される中継局識別情報管理サーバのＩＤである。また、９５３は、他にサーバのＩＤである。ストレージ９５０には、以下のプログラムが格納される。９５４は、中継局の中継処理を制御する中継処理プログラムである。９５５は、中継処理プログラム９５４に含まれ、セルＩＤの変更処理を行なうセルＩＤ変更モジュールである（図１０参照）。９５６は、中継処理プログラム９５４に含まれ、基地局間のハンドオーバを実施するための基地局間ハンドオーバモジュールである（図１０参照）。
なお、図９には、本実施形態に必須なデータやプログラムのみが示されており、ＯＳなどの汎用のデータやプログラムは図示されていない。
【００６７】
《中継局の処理手順》
図１０は、本実施形態に係る中継局２０２の処理手順を示すフローチャートである。このフレーチャートは、ＣＰＵ９１０がＲＡＭ９４０を使用して実行され、中継局２０２の機能構成部や図３，図４および図６の処理が実現される。
【００６８】
まず、ステップＳ１０１１においては、初期の基地局への接続であるか否かを判定する。接続要求であればステップＳ１０１３に進んで、基地局との接続（すなわち、接続要求と応答）を行なう。次に、ステップＳ１０１５において、中継局識別情報管理サーバから割り当てられたセルＩＤを受信する。ステップＳ１０１７において、受信したセルＩＤを自装置内に設定する。ステップＳ１０１９において、接続している基地局に対してセルＩＤを通知する。
【００６９】
次に、ステップＳ１０２１においては、基地局間のハンドオーバであるか否かを判定する。基地局間のハンドオーバであればステップＳ１０２３に進んで、接続している基地局にハンドオーバすることを通知する。次に、ステップＳ１０２５において、中継局識別情報管理サーバにハンドオーバを要求する。
【００７０】
次に、ステップＳ１０３１においては、セルＩＤの変更指示であるか否かを判定する。セルＩＤの変更であればステップＳ１０３３に進んで、サービスエリア内で中継局と通信中、すなわち配下の移動局に対して基地局へのセル間ハンドオーバを行なう。セル間ハンドオーバが終了して配下の移動局がすべて基地局の配下に移ると、ステップＳ１０３５において、セルＩＤを中継局識別情報管理サーバに指定されたセルＩＤに変更する。ステップＳ１０３７において、セルＩＤの変更を基地局に通知する。ステップＳ１０３９において、中継局識別情報管理サーバにセルＩＤの変更が完了したことを応答する。
【００７１】
また、ステップＳ１０４１においては、基地局間のハンドオーバ要求に対する中継局識別情報管理サーバからの応答であるか否かを判定する。中継局識別情報管理サーバからの応答であればステップＳ１０４３に進んで、基地局間のハンドオーバを実行する。そして、ステップＳ１０４５において、基地局の配下にあった移動局をセル間ハンドオーバによって、自サービスエリア（配下）に再接続する。
【００７２】
［第３実施形態］
次に本発明の第３実施形態に係る移動体通信システムについて、説明する。本実施形態に係る移動体通信システムでは、上記第２実施形態と比べると、基地局間ハンドオーバを行なう中継局のセルＩＤを変更する点で異なる。ただし、移動中継局自体が基地局間ハンドオーバをしようとしているということは、基地局間ハンドオーバ前の基地局との通信環境が悪くなってきていることを示唆しているので、移動中継局識別情報を変更するために配下の移動局を、移動中継局が接続している基地局へ一時的にハンドオーバさせることができない可能性がある。しかしながら、もう一方の移動中継局の移動中継局識別情報を変更するより、総合的に見るとよい場合も考えられる。本実施形態では、上記問題に鑑み、ハンドオーバ先の基地局へセル間ハンドオーバをする例を示すが、これに限定されるわけではない。なおその他の構成および動作は、第２実施形態と同様であるため、同じ構成および動作については同じ符号を付してその詳しい説明を省略することとする。
【００７３】
《識別情報が重複する場合の移動体通信システムの構成》
基地局間のハンドオーバ前の移動体通信システムの構成は、図５Ａと同様であるので省略する。
【００７４】
（中継局による基地局間のハンドオーバ後の構成）
図１１は、本実施形態に係る移動体通信システムの中継局による基地局間のハンドオーバ後の構成を示す図である。
【００７５】
図１１において、図５Ｂとの相違は、移動中継局２０２−２の移動中継局セルＩＤは"３１"のままで、基地局間ハンドオーバを行なう移動中継局２０２−１の移動中継局セルＩＤが"３１"から"３２"に変更される点である。それに関連して、移動中継局２０２−１のサービスエリア内で移動中継局２０２−１と通信中、すなわち配下の移動局２０３−１は、移動中継局セルＩＤの変更前に、図１１に１１０１で示すように、一旦、基地局２０１−２にセル間ハンドオーバを行なう。そして、移動中継局セルＩＤの変更後に、再度、基地局２０１−２から移動中継局２０２−１にセル間ハンドオーバを行なう。この操作により、移動局２０３−１の通信を中断することなく、移動中継局２０２−１の移動中継局セルＩＤの変更が可能になる。
【００７６】
《識別情報が重複する場合の移動体通信システムの動作手順》
（識別情報が重複する場合の基地局間のハンドオーバの動作手順）
図１２は、本実施形態に係る移動体通信システムの中継局による、識別情報が重複する場合の基地局間のハンドオーバの動作手順１２００を示すシーケンス図である。図１２には、中継局識別情報管理サーバ２０６、基地局２０１−１，２０１−２、移動中継局２０２−１，２０２−２、移動局２０３−１が示されている。ここで、移動中継局専用の移動中継局セルＩＤを"３１"，"３２"，"３３"とする。また、移動中継局２０２−１は、基地局２０１−１に接続中であり、移動中継局セルＩＤは"３１"とする。一方、移動中継局２０２−２は、基地局２０１−２に接続中であり、移動中継局セルＩＤは"３１"とする。移動局２０３−１は、移動中継局２０２−１に接続中とする。なお、図４と同様のステップについては同じ参照番号を付している。
【００７７】
基地局間ハンドオーバ時、移動中継局２０２−１は、ステップＳ４０１において、接続している基地局２０１−１に対して、希望する基地局間ハンドオーバ先（ここでは基地局２０１−２）を含む「移動中継局ハンドオーバ要求」を送信する。「移動中継局ハンドオーバ要求」を受信した基地局２０１−１は、ステップＳ４０３において、「移動中継局ハンドオーバ応答」を移動中継局２０２−１に送信する。基地局２０１−１は、基地局間ハンドオーバの準備に入る。
【００７８】
その後、移動中継局２０２−１は、ステップＳ４０５において、基地局２０１−１経由で、中継局識別情報管理サーバ２０６に対して「移動中継局ハンドオーバ要求」を送信する。「移動中継局ハンドオーバ要求」を受信した中継局識別情報管理サーバ２０６は、ステップＳ４０７において、移動中継局２０２−１の移動中継局セルＩＤ（ここでは３１）が、少なくとも近隣の移動中継局の移動中継局セルＩＤと重複しているかどうかの判定を行う。
【００７９】
本例では重複しているので、ステップＳ１２０９において、重複している移動中継局の一方（ここでは移動中継局２０２−１）に対して「移動中継局セルＩＤ変更要求」を送信する。ここで、中継局識別情報管理サーバ２０６は、変更後の移動中継局セルＩＤとして、少なくとも近隣の移動中継局の移動中継局セルＩＤと重複しない移動中継局セルＩＤ（ここでは"３２"）を「移動中継局セルＩＤ変更要求」として送信する。「移動中継局セルＩＤ変更要求」を受信した移動中継局２０２−１は、ステップＳ１２１１において、移動局２０３−１を含む配下の全移動局に対して、移動中継局２０２−１がハンドオーバする基地局（ここでは基地局２０１−２）へのセル間ハンドオーバを指示する「ハンドオーバ要求」を送信する。「ハンドオーバ要求」を受信した移動局２０３−１を含む移動中継局２０２−１配下の全移動局は、ステップＳ１２１３において、基地局２０１−２とのセル間ハンドオーバ行う。
【００８０】
その際、移動局２０３−１を含む移動中継局２０２−１配下の全移動局が、移動中継局２０２−１から基地局２０１−２へのセル間ハンドオーバを確実に行うために、移動中継局２０２−２の各共通信号の送信電力を制御する。具体的には、セル間ハンドオーバ時の各共通信号の送信電力を、それまでより小さくする方法が挙げられる。
【００８１】
配下の移動局のなくなった移動中継局２０２−１は、ステップ１２１５において、移動中継局セルＩＤの変更（ここでは"３１"から"３２"へ）を行う。ステップＳ１２１７において、基地局２０１−１に対して新たな移動中継局セルＩＤ（ここでは"３２"）を「移動中継局セルＩＤ」として通知する。また、移動中継局２０２−１は、ステップＳ１２１９において、セルＩＤ変更に成功したことを「移動中継局セルＩＤ変更応答」として、中継局識別情報管理サーバ２０６へ送信する。「移動中継局セルＩＤ変更応答」を受信した中継局識別情報管理サーバ２０６は、セルＩＤの重複が解消されたことを認識し、管理している移動中継局識別情報を更新する。同時に、ステップＳ１２２１において、「移動中継局ハンドオーバ要求」を送信してきていた移動中継局２０２−１に対して、基地局２０１−１経由で、基地局間ハンドオーバを許可する「移動中継局ハンドオーバ応答」を送信する。
【００８２】
「移動中継局ハンドオーバ応答」を受信した移動中継局２０２−１は、ステップＳ１２２３において、移動中継局セルＩＤを"３２"として、基地局２０１−１から基地局２０１−２への基地局間ハンドオーバを行う。以降、移動中継局２０２−１は、基地局２０１−２に接続する。基地局２０１−１は、移動中継局２０２−１の新たな移動中継局セルＩＤ（ここでは"３２"）を「移動中継局セルＩＤ」として受信した後、ステップＳ１２２５において、移動中継局２０２−１の移動中継局セルＩＤ変更前に移動中継局２０２−１の配下であった移動局２０３−１を含む全移動局に対して、移動中継局２０２−１へのセル間ハンドオーバを指示する「ハンドオーバ要求」を送信する。「ハンドオーバ要求」を受信した、移動中継局２０２−１の移動中継局セルＩＤ変更前に移動中継局２０２−１の配下であった移動局２０３−１を含む全移動局は、ステップＳ１２２７において、基地局２０１−２から移動中継局２０２−１とのセル間ハンドオーバを行う。
【００８３】
その際、移動中継局２０２−１の移動中継局セルＩＤ変更前に移動中継局２０２−１の配下であった移動局２０３−１を含む全移動局が、基地局２０１−２から移動中継局２０２−１へのセル間ハンドオーバを確実に行うために、移動中継局２０２−１の各共通信号の送信電力を制御する。具体的には、移動中継局セルＩＤ変更前のセル間ハンドオーバ前の各共通信号の送信電力を、移動中継局２０２−１で記憶しておき、その送信電力と同じ、またはそれより若干大きな送信電力で、各共通信号を送信する。
【００８４】
なお、移動中継局２０２−１の基地局間ハンドオーバと、移動中継局２０２−１の移動中継局セルＩＤ変更前に移動中継局２０２−１の配下であった移動局２０３−１を含む全移動局の、基地局２０１−２から移動中継局２０２−１へのセル間ハンドオーバは、どちらが先でも問題ない。本実施形態において、移動中継局識別情報に、特に制限はない。たとえば、セルＩＤ、送受信のタイミングに関する情報、伝搬路品質に関する情報、収容トラフィック量に関する情報、移動中継局の移動速度などが挙げられる。
【００８５】
［第４実施形態］
次に本発明の第４実施形態に係る移動体通信システムについて、説明する。本実施形態に係る移動体通信システムは、上記第２および第３実施形態と比べると、中継局の１つが固定中継局である点で異なる。その他の構成および動作は、第２および第３実施形態と同様であるため、同じ構成および動作については同じ符号を付してその詳しい説明を省略する。
【００８６】
《識別情報が重複する場合の移動体通信システムの構成》
（中継局による基地局間のハンドオーバ後の構成）
図１３は、本実施形態に係る移動体通信システムの中継局による基地局間のハンドオーバ後の構成を示す図である。
【００８７】
図１３においては、移動中継局２０２−１が基地局間ハンドオーバによって、基地局２０１−２のサービスエリア２０１−２ａに移動する。基地局２０１−２のサービスエリア２０１−２ａには、固定中継局２０８のサービスエリア２０８ａがある。
【００８８】
かかる構成においても、図２Ｂ、図５Ｂ、図１１と同様に、移動中継局セルＩＤの重複を避けるための、移動中継局セルＩＤの変更、および変更前の配下の移動局の基地局へのセル間ハンドオーバと、変更後の移動局の基地局からのセル間ハンドオーバが実行される。
【００８９】
［他の実施形態］
以上、本発明の実施形態について詳述したが、それぞれの実施形態に含まれる別々の特徴を如何様に組み合わせたシステムまたは装置も、本発明の範疇に含まれる。
【００９０】
また、本発明は、複数の機器から構成されるシステムに適用されてもよいし、単体の装置に適用されてもよい。さらに、本発明は、実施形態の機能を実現する制御プログラムが、システムあるいは装置に直接あるいは遠隔から供給される場合にも適用可能である。したがって、本発明の機能をコンピュータで実現するために、コンピュータにインストールされる制御プログラム、あるいはその制御プログラムを格納した媒体、その制御プログラムをダウンロードさせるＷＷＷ（Ｗｏｒｌｄ  Ｗｉｄｅ  Ｗｅｂ）サーバも、本発明の範疇に含まれる。
【００９１】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００９２】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９３】
以上、実施の形態を参照して本願発明を説明したが、本願発明は上記によって限定されるものではない。本願発明の構成や詳細には、発明のスコープ内で当業者が理解し得る様々な変更をすることができる。
【００９４】
この出願は、２０１１年３月３１日に出願された日本出願特願２０１１−０８０９５０を基礎とする優先権を主張し、その開示の全てをここに取り込む。
【００９５】
［実施形態の他の表現］
上記の実施形態の一部または全部は、以下の付記のようにも記載されうるが、以下には限られない。
【００９６】
（付記１）
基地局と移動局とを中継し、移動可能な中継局を有する移動体通信システムであって、
前記移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が１つの基地局に同じ識別情報を持つ複数の中継局が存在する状態になると判定した場合に、互いに異なる識別情報となるよう中継局の識別情報を変更する識別情報変更手段と、
前記中継局の識別情報が変更された後に、前記基地局間を移動する中継局の基地局間のハンドオーバを行なうハンドオーバ手段と、
前記識別情報変更手段により識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続手段と、
を備えることを特徴とする移動体通信システム。
（付記２）
前記重複判定手段は、基地局および中継局に対応付けて識別情報を登録する識別情報登録手段を有し、
基地局間のハンドオーバをする前記移動可能な中継局の識別情報が、前記識別情報登録手段にあらかじめ登録されている移動先の基地局にある中継局の識別情報と同一である場合に、識別情報が重複すると判定することを特徴とする付記１に記載の移動体通信システム。
（付記３）
前記識別情報変更手段は、基地局間のハンドオーバをする前記移動可能な中継局と同一の識別情報を持つ、移動先の基地局にある中継局の識別情報を変更することを特徴とする付記１または２に記載の移動体通信システム。
（付記４）
前記サービス継続手段は、前記移動先の基地局にある中継局のサービスエリア内で前記中継局と通信中の移動局を一旦、中継局から基地局にハンドオーバさせ、前記移動先の基地局にある中継局が識別情報を変更した後に、前記移動先の基地局にある中継局のサービスエリア内で前記中継局と通信中だった移動局を再度、基地局から中継局にハンドオーバさせて、前記移動局へのサービスを継続することを特徴とする付記３に記載の移動体通信システム。
（付記５）
前記識別情報変更手段は、基地局間のハンドオーバをする前記移動可能な中継局の識別情報を変更することを特徴とする付記１または２に記載の移動体通信システム。
（付記６）
前記サービス継続手段は、前記基地局間のハンドオーバをする中継局のサービスエリア内で前記中継局と通信中の移動局を一旦、中継局から移動先の基地局にハンドオーバさせ、前記基地局間のハンドオーバをする中継局が識別情報を変更した後に、前記基地局間のハンドオーバをする中継局のサービスエリア内で前記中継局と通信中だった移動局を再度、基地局から中継局にハンドオーバさせて、前記移動局へのサービスを継続することを特徴とする付記５に記載の移動体通信システム。
（付記７）
基地局と移動局とを中継し、移動可能な中継局を有する移動体通信システムにおける中継局制御方法であって、
前記移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて１つの基地局に同じ識別情報を持つ複数の中継局が存在する状態になると判定した場合に、互いに異なる識別情報となるよう中継局の識別情報を変更する識別情報変更ステップと、
前記中継局の識別情報が変更された後に、前記基地局間を移動する中継局の基地局間のハンドオーバを行なうハンドオーバステップと、
前記識別情報変更ステップにおいて識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続ステップと、
を含むことを特徴とする中継局制御方法。
（付記８）
基地局と移動局とを中継し、移動可能な中継局の識別情報を管理する中継局管理装置であって、
基地局および中継局に対応付けて、識別情報を登録する登録手段と、
移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が同じ識別情報を持つ複数の中継局が存在する状態になると判定した場合に、異なる識別情報となるよう識別情報の変更を中継局に指示する変更指示手段と、
中継局からの識別情報の変更応答を受けて、移動中継局の基地局間のハンドオーバを許可する許可手段と、
を備えることを特徴とする中継局管理装置。
（付記９）
基地局と移動局とを中継し、移動可能な中継局の識別情報を管理する中継局管理装置の制御方法であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
を含むことを特徴とする中継局管理装置の制御方法。
（付記１０）
基地局と移動局とを中継し、移動可能な中継局の識別情報を管理する中継局管理装置の制御プログラムが格納された非一時的なコンピュータ可読媒体であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
をコンピュータに実行させることを特徴とする制御プログラムが格納された非一時的なコンピュータ可読媒体。
（付記１１）
基地局と移動局とを中継し、移動可能な中継局であって、
識別情報の変更が指示された場合に、前記中継局のサービスエリア内で前記中継局と通信中の移動局に対するサービスを中断して、前記中継局が接続している地局へのハンドオーバを指示する指示手段と、
識別情報の変更を行ない、前記中継局が接続している基地局に対して変更された識別情報を通知する通知手段と、
前記中継局が接続している基地局からのハンドオーバ要求に従った、前記移動局からのハンドオーバ要求を受けて、前記移動局へのサービスを再開するサービス再開手段と、
を備えることを特徴とする中継局。
（付記１２）
基地局と移動局とを中継し、移動可能な中継局の制御方法であって、
識別情報の変更が指示された場合に、前記中継局のサービスエリア内で前記中継局と通信中の移動局に対するサービスを中断して、前記中継局が接続している基地局へのハンドオーバを指示する指示ステップと、
識別情報の変更を行ない、前記中継局が接続している基地局に対して変更された識別情報を通知する通知ステップと、
前記中継局が接続している基地局からのハンドオーバ要求に従った、前記移動局からのハンドオーバ要求を受けて、前記移動局へのサービスを再開するサービス再開ステップと、
を含むことを特徴とする中継局の制御方法。
（付記１３）
基地局と移動局とを中継し、移動可能な中継局の制御プログラムが格納された非一時的なコンピュータ可読媒体であって、
識別情報の変更が指示された場合に、前記中継局のサービスエリア内で前記中継局と通信中の移動局に対するサービスを中断して、前記中継局が接続している基地局へのハンドオーバを指示する指示ステップと、
識別情報の変更を行ない、前記中継局が接続している基地局に対して変更された識別情報を通知する通知ステップと、
前記中継局が接続している基地局からのハンドオーバ要求に従った、前記移動局からのハンドオーバ要求を受けて、前記移動局へのサービスを再開するサービス再開ステップと、
をコンピュータに実行させることを特徴とする制御プログラムが格納された非一時的なコンピュータ可読媒体。
【図１】
2012131819.tif 000003
【図２Ａ】
2012131819.tif 000004
【図２Ｂ】
2012131819.tif 000005
【図３】
2012131819.tif 000006
【図４】
2012131819.tif 000007
【図５Ａ】
2012131819.tif 000008
【図５Ｂ】
2012131819.tif 000009
【図６】
2012131819.tif 000010
【図７】
2012131819.tif 000011
【図８】
2012131819.tif 000012
【図９】
2012131819.tif 000013
【図１０】
2012131819.tif 000014
【図１１】
2012131819.tif 000015
【図１２】
2012131819.tif 000016
【図１３】
2012131819.tif 000017
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
基地局と移動局とを中継し、移動可能な中継局を有する移動体通信システムであって、
前記移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が１つの基地局に同じ識別情報を持つ複数の中継局が存在する状態になると判定した場合に、互いに異なる識別情報となるよう中継局の識別情報を変更する識別情報変更手段と、
前記中継局の識別情報が変更された後に、前記基地局間を移動する中継局の基地局間のハンドオーバを行なうハンドオーバ手段と、
前記識別情報変更手段により識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続手段と、
を備えることを特徴とする移動体通信システム。
【請求項２】
前記重複判定手段は、基地局および中継局に対応付けて識別情報を登録する識別情報登録手段を有し、
基地局間のハンドオーバをする前記移動可能な中継局の識別情報が、前記識別情報登録手段にあらかじめ登録されている移動先の基地局にある中継局の識別情報と同一である場合に、識別情報が重複すると判定することを特徴とする請求項１に記載の移動体通信システム。
【請求項３】
前記識別情報変更手段は、基地局間のハンドオーバをする前記移動可能な中継局と同一の識別情報を持つ、移動先の基地局にある中継局の識別情報を変更することを特徴とする請求項１または２に記載の移動体通信システム。
【請求項４】
前記サービス継続手段は、前記移動先の基地局にある中継局のサービスエリア内で前記中継局と通信中の移動局を一旦、中継局から基地局にハンドオーバさせ、前記移動先の基地局にある中継局が識別情報を変更した後に、前記移動先の基地局にある中継局のサービスエリア内で前記中継局と通信中だった移動局を再度、基地局から中継局にハンドオーバさせて、前記移動局へのサービスを継続することを特徴とする請求項３に記載の移動体通信システム。
【請求項５】
前記識別情報変更手段は、基地局間のハンドオーバをする前記移動可能な中継局の識別情報を変更することを特徴とする請求項１または２に記載の移動体通信システム。
【請求項６】
前記サービス継続手段は、前記基地局間のハンドオーバをする中継局のサービスエリア内で前記中継局と通信中の移動局を一旦、中継局から移動先の基地局にハンドオーバさせ、前記基地局間のハンドオーバをする中継局が識別情報を変更した後に、前記基地局間のハンドオーバをする中継局のサービスエリア内で前記中継局と通信中だった移動局を再度、基地局から中継局にハンドオーバさせて、前記移動局へのサービスを継続することを特徴とする請求項５に記載の移動体通信システム。
【請求項７】
基地局と移動局とを中継し、移動可能な中継局を有する移動体通信システムにおける中継局制御方法であって、
前記移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて１つの基地局に同じ識別情報を持つ複数の中継局が存在する状態になると判定した場合に、互いに異なる識別情報となるよう中継局の識別情報を変更する識別情報変更ステップと、
前記中継局の識別情報が変更された後に、前記基地局間を移動する中継局の基地局間のハンドオーバを行なうハンドオーバステップと、
前記識別情報変更ステップにおいて識別情報が変更される中継局のサービスエリア内で前記中継局と通信中の移動局について、中継局から基地局へのハンドオーバを行なって基地局による前記移動局へのサービスを継続し、前記中継局の識別情報が変更された後に、前記サービスエリア内で前記中継局と通信中だった移動局による基地局から中継局へのハンドオーバを行なって、前記中継局によるサービスを再開するサービス継続ステップと、
を含むことを特徴とする中継局制御方法。
【請求項８】
基地局と移動局とを中継し、移動可能な中継局の識別情報を管理する中継局管理装置であって、
基地局および中継局に対応付けて、識別情報を登録する登録手段と、
移動可能な中継局が基地局間を移動して基地局間のハンドオーバをする前に、１つの基地局のサービスエリア内に同じ識別情報を持つ複数の中継局が存在する状態になるか否かを判定する重複判定手段と、
前記重複判定手段が同じ識別情報を持つ複数の中継局が存在する状態になると判定した場合に、異なる識別情報となるよう識別情報の変更を中継局に指示する変更指示手段と、
中継局からの識別情報の変更応答を受けて、移動中継局の基地局間のハンドオーバを許可する許可手段と、
を備えることを特徴とする中継局管理装置。
【請求項９】
基地局と移動局とを中継し、移動可能な中継局の識別情報を管理する中継局管理装置の制御方法であって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
を含むことを特徴とする中継局管理装置の制御方法。
【請求項１０】
基地局と移動局とを中継し、移動可能な中継局の識別情報を管理する中継局管理装置の制御プログラムであって、
基地局および中継局に対応付けて、識別情報を登録する登録ステップと、
移動可能な中継局が基地局間を移動して基地局間のハンドオーバをする前に、１つの基地局のサービスエリア内に同じ識別情報を持つ複数の中継局が存在する状態になるか否かを判定する重複判定ステップと、
前記重複判定ステップにおいて、同じ識別情報を持つ複数の中継局が存在する状態になると判定した場合に、異なる識別情報となるよう識別情報の変更を中継局に指示する変更指示ステップと、
中継局からの識別情報の変更応答を受けて、移動中継局の基地局間のハンドオーバを許可する許可ステップと、
をコンピュータに実行させるための制御プログラム。
【国際調査報告】
2012131819.tif 000018
2012131819.tif 000019
2012131819.tif 000020
2012131819.tif 000021